(57)【要約】【課題】ユーザの購買動向に基づいて、ユーザの家計状況や趣味趣向に合った的確な広告コンテンツを配信すること。【解決手段】ユーザ端末３より提供される家計簿データを取得し蓄積する手段と、発注端末６より入力される蓄積された家計簿データに対するマッチング条件と家計簿データを照合してマッチング条件を満たすユーザを抽出するマッチング手段を有し、マッチング条件を満たす家計簿データを伝達したユーザのユーザ端末３に広告コンテンツを配信する広告配信支援システム１。【選択図】  図１
2012150615.tif 000002
【特許請求の範囲】
【請求項１】
センターサーバと、センターサーバと情報伝達可能な状態のユーザ端末と、センターサーバと情報伝達可能な状態の発注端末を有し、
前記ユーザ端末は、家計簿データを入力する入力手段と前記家計簿データを前記センターサーバに伝達する通信手段を有し、
前記発注端末は、前記家計簿データに関連づけることのできるマッチング条件を入力する入力手段と、前記マッチング条件を前記センターサーバに伝達する通信手段を有し、
前記センターサーバは、前記ユーザ端末からユーザ識別子と関連づけて伝達される家計簿データを取得する家計簿データ取得手段と、該家計簿データをユーザ識別子と関連づけて家計簿データベースに蓄積する家計簿データ蓄積手段と、前記発注端末からマッチング条件を取得するマッチング条件取得手段と、前記家計簿データベースに蓄積されている家計簿データと前記マッチング条件を照合する照合手段と、前記マッチング条件に適合する家計簿データに関連づけられているユーザ識別子を抽出する抽出手段と、前記抽出手段により抽出された前記ユーザ識別子と広告データベースに蓄積されてなる広告コンテンツを関連づける広告ユーザマッチング手段とを有し、
前記広告コンテンツと前記マッチング条件を満たす家計簿データを伝達したユーザ識別子とを関連づけることを特徴とする広告配信支援システム。
【請求項２】
前記センターサーバは、広告データベースに蓄積されてなる広告フォーマットと、前記発注端末から入力伝達されるカテゴリー選択に基づいて広告フォーマットを抽出する手段と、前記発注端末から入力伝達される広告データを前記広告フォーマットの所定個所に関連づける手段を有し、
前記発注端末から入力されるカテゴリー選択に基づいて広告フォーマットを抽出し、該抽出された広告フォーマットに広告データを関連づけて広告コンテンツを完成させることを特徴とする請求項１記載の広告配信支援システム。
【請求項３】
前記センターサーバは、前記広告ユーザマッチング手段により関連づけられた広告コンテンツマッチング履歴をユーザ識別子に関連づけて履歴データベースに蓄積する履歴蓄積手段と、前記履歴データベースに蓄積されている広告コンテンツマッチング履歴に関連づけられる広告コンテンツに含まれる商品ブランドデータと前記家計簿データに蓄積されている購買商品ブランドデータを照合し前記商品ブランドデータと前記購買商品ブランドデータが一致するユーザ識別子を算出する購買分析手段を有することを特徴とする請求項１または請求項２に記載の広告配信支援システム。
【請求項４】
前記センターサーバは、前記ユーザマッチング手段により抽出された前記ユーザ識別子から前記ユーザ端末を特定する特定手段と、前記ユーザ識別子と関連づけられた前記広告コンテンツを前記特定手段により特定された前記ユーザ端末に配信する配信手段を有することを特徴とする請求項１乃至請求項３のいずかに記載の広告配信支援システム。
【請求項５】
前記センターサーバは、前記ユーザマッチング手段により抽出された前記ユーザ識別子からユーザ専用ウェブサイトを特定する特定手段と、前記ユーザ識別子と関連づけられた前記広告コンテンツを前記特定手段により特定された前記ユーザ専用ウェブサイトに表示する表示手段を有することを特徴とする請求項１乃至請求項４のいずれかに記載の広告配信支援システム。
【発明の詳細な説明】
【技術分野】
【０００１】
本発明は、広告配信支援システムに関する。特に、ユーザ端末から家計簿データを取得して、該家計簿データの購買行動に基づいて広告コンテンツを配信するシステムに関する。
【背景技術】
【０００２】
従来は、家計簿を電子的に管理するシステム、及び顧客へ提供する広告を自動的に作成するシステムは存在した。例えば、特許文献１には、ネットワーク上で、複数のユーザの家計簿情報を取得して、類似ユーザの情報を提供したり、家計簿に関する異常値を検出し、アドバイスを提供する家計簿アドバイス提供装置が開示されている。また、特許文献２には、顧客の家計簿、及び小売店から顧客へ提供する広告を自動的に作成する家計簿及び広告作成システムが開示されている。
【特許文献１】特開２００８−２６２４５６号公報
【特許文献２】特開２００４−３１８７１２号公報
【発明の開示】
【発明が解決しようとする課題】
【０００３】
しかしながら、従来は広告を一斉にメールを配信するような形態によるもので、効果的に顧客に広告を配信しているとは言えなかった。本発明は、家計簿に対する個々の顧客の嗜好や経済状況を踏まえた上で、広告を効果的に配信することを目的とする。
【課題を解決するための手段】
【０００４】
上記目的を達成するため本発明の広告配信支援システムは、センターサーバと、センターサーバと情報伝達可能な状態のユーザ端末と、センターサーバと情報伝達可能な状態の発注端末を有し、前記ユーザ端末は、家計簿データを入力する入力手段と前記家計簿データを前記センターサーバに伝達する通信手段を有し、前記発注端末は、前記家計簿データに関連づけることのできるマッチング条件を入力する入力手段と、前記マッチング条件を前記センターサーバに伝達する通信手段を有し、前記センターサーバは、前記ユーザ端末からユーザ識別子と関連づけて伝達される家計簿データを取得する家計簿データ取得手段と、該家計簿データをユーザ識別子と関連づけて家計簿データベースに蓄積する家計簿データ蓄積手段と、前記発注端末からマッチング条件を取得するマッチング条件取得手段と、前記家計簿データベースに蓄積されている家計簿データと前記マッチング条件を照合する照合手段と、前記マッチング条件に適合する家計簿データに関連づけられているユーザ識別子を抽出する抽出手段と、前記抽出手段により抽出された前記ユーザ識別子と広告データベースに蓄積されてなる広告コンテンツを関連づける広告ユーザマッチング手段とを有し、前記広告コンテンツと前記マッチング条件を満たす家計簿データを伝達したユーザ識別子とを関連づけることを特徴とする。
【０００５】
前記センターサーバは、広告データベースに蓄積されてなる広告フォーマットと、前記発注端末から入力伝達されるカテゴリー選択に基づいて広告フォーマットを抽出する手段と、前記発注端末から入力伝達される広告データを前記広告フォーマットの所定個所に関連づける手段を有し、前記発注端末から入力されるカテゴリー選択に基づいて広告フォーマットを抽出し、該抽出された広告フォーマットに広告データを関連づけて広告コンテンツを完成させることを特徴とする。
【０００６】
前記センターサーバは、前記広告ユーザマッチング手段により関連づけられた広告コンテンツマッチング履歴をユーザ識別子に関連づけて履歴データベースに蓄積する履歴蓄積手段と、前記履歴データベースに蓄積されている広告コンテンツマッチング履歴に関連づけられる広告コンテンツに含まれる商品ブランドデータと前記家計簿データに蓄積されている購買商品ブランドデータを照合し前記商品ブランドデータと前記購買商品ブランドデータが一致するユーザ識別子を算出する購買分析手段を有することを特徴とする。
【０００７】
前記センターサーバは、前記ユーザマッチング手段により抽出された前記ユーザ識別子から前記ユーザ端末を特定する特定手段と、前記ユーザ識別子と関連づけられた前記広告コンテンツを前記特定手段により特定された前記ユーザ端末に配信する配信手段を有することを特徴とする。
【０００８】
前記センターサーバは、前記ユーザマッチング手段により抽出された前記ユーザ識別子からユーザ専用ウェブサイトを特定する特定手段と、前記ユーザ識別子と関連づけられた前記広告コンテンツを前記特定手段により特定された前記ユーザ専用ウェブサイトに表示する表示手段を有することを特徴とする。
【発明の効果】
【０００９】
本発明の広告配信支援システムは、センターサーバと、センターサーバと情報伝達可能な状態のユーザ端末と、センターサーバと情報伝達可能な状態の発注端末を有し、前記ユーザ端末は、家計簿データを入力する入力手段と前記家計簿データを前記センターサーバに伝達する通信手段を有し、
前記発注端末は、前記家計簿データに関連づけることのできるマッチング条件を入力する入力手段と、前記マッチング条件を前記センターサーバに伝達する通信手段を有し、前記センターサーバは、前記ユーザ端末からユーザ識別子と関連づけて伝達される家計簿データを取得する家計簿データ取得手段と、該家計簿データをユーザ識別子と関連づけて家計簿データベースに蓄積する家計簿データ蓄積手段と、前記発注端末からマッチング条件を取得するマッチング条件取得手段と、前記家計簿データベースに蓄積されている家計簿データと前記マッチング条件を照合する照合手段と、マッチング条件に適合する家計簿データに関連づけられているユーザ識別子を抽出する抽出手段と、前記抽出手段により抽出された前記ユーザ識別子と広告データベースに蓄積されてなる広告コンテンツを関連づける広告ユーザマッチング手段とを有し、前記広告コンテンツと前記マッチング条件を満たす家計簿データを伝達したユーザ識別子とを関連づけることにより、ユーザの家計簿データを基に、該ユーザに好適な広告コンテンツを関連づけることができる。したがって、ユーザの購買行動、家計状況、趣味嗜好に即した広告コンテンツの配信を支援することができる。ひいては、広告宣伝効果の高い広告コンテンツの配信をすることができる。
【図面の簡単な説明】
【００１０】
【図１】本発明の実施の形態にかかる広告配信支援システムの全体構造を示すブロック図である。
【図２】本発明の実施の形態にかかる広告配信支援システムのシステム構造を示すブロック図である。
【図３】ユーザデータベースに蓄積される属性データベースの例を示すユーザ属性テーブルである。
【図４】ユーザデータベースに蓄積される家計簿データベースの例を示すユーザ家計簿テーブルである。
【図５】広告・ユーザマッチング手段における広告・マッチングテーブルである。
【図６】履歴データベースに蓄積されるマッチング履歴の例を示すマッチング履歴テーブルである。
【図７】家計簿データ蓄積段階のフローチャートである。
【図８】広告コンテンツ作成段階のフローチャートである。
【図９】広告ユーザマッチング段階のフローチャートである。
【図１０】広告配信支援システムの変形例の全体構造を示すブロック図である。
【発明を実施するための形態】
【００１１】
本発明を構成する広告配信支援システムは、センターサーバ２がユーザ端末３から入力される家計簿データを取得し、この家計簿データに基づいて家計簿データの提供者であるユーザを識別するためのユーザＩＤと広告データベースをマッチングすることにより、ユーザの購買動向や趣味趣向に合致する広告コンテンツを提供するためのシステムである。
【００１２】
（システム構成）
広告配信支援システム１（以下、単にシステム１という。）の構成を説明する。システム１は、家計簿データの蓄積、分析および管理をするセンターサーバ２、家計簿データを入力しこれをセンターサーバ２に伝達する手段を有するユーザ端末３、家計簿データに対するマッチング条件を入力しこれをセンターサーバ２に伝達する手段を有する発注端末６で構成されている。そしてユーザ端末３、センターサーバ２、発注端末６はインターネット等のネットワーク、専用回線、あるいは通信ケーブル等の通信手段４により情報伝達可能に接続されている。
【００１３】
家計簿データ入力端末としてのユーザ端末３は、ＣＰＵ、ＲＡＭ等の制御・記憶手段、キーボード、タッチパネル等の入力手段とモニタ等の出力手段、通信インターフェースを含む通信手段を備えているコンピュータ端末や携帯端末であり、ユーザ本人あるいは代行入力者が家計簿データを入力し、家計簿データをユーザＩＤと関連づけた状態でセンターサーバ２に伝達する装置である。また、後述する広告コンテンツ配信段階がシステム１に含まれる場合には、センターサーバ２から提供される広告コンテンツを受信し、受信した広告コンテンツを閲覧する閲覧端末、または専用ウェブサイトにアクセスして、ウェブ上に表示される広告コンテンツを閲覧する閲覧端末としても機能する装置である。
【００１４】
ユーザ端末３には、家計簿データを入力させる手段として、あらかじめ家計簿データを入力させるためのフォーマットアプリケーションソフトをダウンロードさせてもよい。ユーザ端末３から家計簿データ入力フォーマットに沿って、購入商品ブランド、購入日時、購入店等の家計簿データを入力させ、入力された家計簿データは、家計簿データの入力毎にあるいはアプリケーションソフトの制御により設定時刻ごとにセンターサーバ２に伝達されるようになっている。また家計簿データを入力させる他の手段は、ユーザ端末３をセンターサーバ２あるいはセンターサーバ２と情報伝達可能な状態に構築されてなる専用ウェブサイトに作成された家計簿データ入力フォーマットにアクセスさせ、家計簿データ入力フォーマットを通じて入力された家計簿データは、入力毎あるいはセンターサーバ２の制御により設定時刻ごとに、センターサーバ２に伝達されるようになっているものである。
【００１５】
発注端末６は、ＣＰＵ、ＲＡＭ等の制御・記憶手段、キーボード、タッチパネル等の入力手段とモニタ等の出力手段、通信インターフェースを含む通信手段を備えているコンピュータ端末や携帯端末であり、広告主あるいは代行入力者が家計簿データと関連づけることのできるマッチング条件を入力し、センターサーバ２に伝達する装置である。また、後述する広告コンテンツ作成段階がシステム１に含まれる場合には、商品またはサービスのカテゴリー選択と、広告コンテンツ作成の素材としての広告データも入力できるようになっている。このマッチング条件の入力、カテゴリーの選択、広告データの入力は入力項目と入力欄が表示された管理画面から行うようにしてもよい。
【００１６】
センターサーバ２には、ユーザ端末３との間で情報伝達を行う通信インターフェースを含む通信手段、制御分析装置としてのＣＰＵ、記憶装置としてのＲＡＭ（不図示）等が搭載されている。センターサーバ２に構築される制御手段は、ユーザ端末３より伝達される家計簿データを取得するデータ取得手段、取得した家計簿データをデータベースに蓄積するデータ蓄積手段、発注端末６から伝達されたマッチング条件を取得する手段、マッチング条件に基づいて、マッチング条件を満たすユーザＩＤ（広告を配信する対象のユーザＩＤ）を抽出する広告・ユーザマッチング手段が構築されている。
【００１７】
また、センターサーバ２において、システム１が後述する広告作成段階を含む場合には、広告データベースに蓄積されている広告フォーマットを抽出する広告フォーマット抽出手段と、広告フォーマットに対して発注端末６から伝達された少なくとも商品ブランドを含む商品データを広告フォーマットの所定個所に自動的に入力して広告コンテンツを完成させる広告コンテンツ作成手段が構築されている。
【００１８】
また、センターサーバ２において、システム１が後述する広告配信段階を含む場合には、発注端末６から選択された広告コンテンツ、あるいは、発注端末５からの発注により作成された広告コンテンツとマッチング条件に基づき抽出されたユーザＩＤとを関連づけ、ユーザＩＤに対応するユーザ端末３に広告コンテンツを配信する配信手段が構築されている。
【００１９】
さらに、センターサーバ２において、本発明のシステム１が後述する購買分析段階を含む場合には、ユーザＩＤにマッチングされた（ユーザに配信された）広告コンテンツのマッチング履歴を蓄積する履歴蓄積手段と、ユーザＩＤにマッチングされた広告コンテンツに含まれている商品ブランドが該ユーザＩＤに対応する家計簿データの購買商品ブランドに含まれているか否かの一致不一致を分析する購買分析手段が構築されている。
【００２０】
（データベースの構成）
センターサーバ２には、データベース５が情報伝達可能に接続されている。本発明のシステム１におけるデータベース５には、ユーザに関するデータを蓄積するユーザデータベース５１が構築されている。ユーザデータベース５１は、ユーザの性別、年代、居住地等の属性データが蓄積される属性データベースと、ユーザ端末３からの家計簿データの伝達に伴い随時家計簿データが蓄積される家計簿データベースを含み、各データが図３に示す属性テーブル上、図４に示す家計簿テーブル上でユーザＩＤと関連付けられて分析可能となっている。また、本発明のシステム１が後述する購買分析段階を含む場合には、ユーザＩＤに関連づけて配信された広告コンテンツのマッチング履歴を蓄積するマッチング履歴データベースが含まれる。
【００２１】
またデータベース５には、広告データベース５２が構築されている。広告データベース５２には、ユーザ端末３に配信される広告コンテンツが蓄積されている。この広告コンテンツは、完成品の広告コンテンツが蓄積されている場合と、広告作成段階を経て完成された広告コンテンツが蓄積される場合とがある。完成品の広告コンテンツとして蓄積されている場合には、広告コンテンツに広告発注ＩＤがあらかじめ付与された状態で蓄積される。この広告発注ＩＤを発注端末６から選択することにより、ユーザ広告マッチング段階において広告発注ＩＤと関連づけられているマッチング条件を満たすユーザＩＤとマッチングされるようになっている。また、広告作成段階を経て完成される広告コンテンツの場合には、発注端末６からの入力時に決定される広告発注ＩＤが引き続き広告コンテンツに付与された状態で蓄積されている。広告コンテンツは、ユーザ端末３に配信可能な状態で、またはユーザ端末３よりアクセスされる専用ウェブサイト上に表示可能な状態で広告データベース５２に蓄積される。広告コンテンツには、テキストデータからなるテキスト広告や、図や絵、動画を入れ込んだイメージ広告が含まれる。
【００２２】
本発明のシステム１が、後述する広告作成段階を含む場合において、広告データベース５２には、広告フォーマットが蓄積されている。ここで広告フォーマットとは、発注端末６から伝達される広告データが広告フォーマットの所定個所に自動的に関連づけられることで広告コンテンツが完成する広告コンテンツの原始データともいうべきものであって、商品やサービスのカテゴリー毎に複数パターンのフォーマットが用意されている。発注端末６から伝達される商品またはサービスのカテゴリーの選択に応じて、広告フォーマットが選択され、ここに発注端末６から伝達されたワード、図、動画等が自動的に紐付けられて広告コンテンツが完成するようになっている。最も簡単な形態のテキスト広告を例に挙げて説明する。飲料向けの広告フォーマットとして用意されるＡパターンフォーマットの例の一つは、「今日おすすめの飲み物はＸ１。Ｘ１を買うならＸ２。夏に飲むＸ１はＸ２。」である。ここで、Ｘ１は商品名の表示個所であり、Ｘ２は商品ブランドの表示個所である。発注端末６から、商品カテゴリーと関連づけて飲料、商品名項目と関連づけて「ビール」、商品ブランド項目と関連づけて「Ｂビール」が伝達されると、広告コンテンツ作成手段は、飲料向けのＡパターンフォーマットを抽出し、ＡパターンフォーマットのＸ１には「ビール」を、Ｘ２には「Ｂビール」を関連づけて「今日おすすめの飲み物はビール。ビールを買うならＢビール。夏に飲むビールはＢビール。」という内容の広告コンテンツを作成する。同様にお菓子向けのＢパターンフォーマット「美味しいＹ１は、Ｙ２です。」（Ｙ１には、お菓子の商品名データ、Ｙ２には商品ブランドデータが関連づけられる。）、ヘアケア製品向けのＣパターンフォーマット「Ｚ１の髪を目指すならＺ２。」（Ｚ１にはフリーワード、Ｚ２は商品ブランドデータが関連づけられる。）のように、複数の商品やサービスカテゴリー毎に広告フォーマットが蓄積されている。尚、広告コンテンツの例は、このようなテキスト広告に限られるものではなく、図や背景画面等のイメージデータ、音楽や音声等の音声データ、動画データ等を入れ込んだイメージ広告も作成することができる。広告作成手段により作成された広告コンテンツはユーザ端末３に配信可能な状態で、またはユーザ端末３よりアクセスされるウェブサイト上に表示可能な状態で上述の如く広告データベース５２に蓄積される。
【００２３】
発注端末６は、主として広告主や広告主から依頼された広告会社に設置されセンターサーバ２に対して広告配信対象のユーザを抽出するためのマッチング条件を入力するための入力手段と入力されたマッチング条件をセンターサーバ２に伝達する通信手段を備えている。また、システム１が広告作成段階を含む場合には、上述した商品カテゴリーの選択や、商品名、商品ブランド等の商品データを入力する入力手段を備えている。
【００２４】
（家計簿データ蓄積段階）
図７のフローチャートと、図４の家計簿テーブルに基づき家計簿データの蓄積段階を説明する。ユーザ端末３において、家計簿データとしての購買商品ブランド、購買日時、購買店舗、購買額等家計簿データの入力が行われる（Ｓ１）。この入力がされる毎に、または、アプリケーションソフトの制御により設定時刻になると、ユーザ端末３は、家計簿データをユーザＩＤと関連づけてセンターサーバ２へ伝達する（Ｓ２）。センターサーバ２のデータ取得手段は、家計簿データとユーザＩＤを関連づけて家計簿データベースに蓄積する。この家計簿データの取得と蓄積はユーザ端末３からのデータの伝達毎に繰り返し行われ、ユーザＩＤに対応させて購買履歴が蓄積されるようになっている。例えば、図４の家計簿テーブルの例によれば、ユーザＩＤ（００１）のユーザ端末３から、１購買目に商品名「ビール」、商品ブランド「Ａ」という家計簿データが伝達され蓄積されている。同様に、２購買目には、商品名「トイレットペーパー」、商品ブランド「Ｂ」、３購買目には、商品名「ビール」、商品ブランド「Ｂ」という家計簿データが伝達されてユーザＩＤ（００１）と関連付けて蓄積されている。この家計簿データベースは、ユーザＩＤに基づく家計簿データの抽出と、商品名、商品ブランド等家計簿データに基づくユーザＩＤの抽出の双方ができるように蓄積されている。
【００２５】
（広告コンテンツ作成段階）
次に、図８のフローチャートに基づき広告作成段階について説明する。広告コンテンツ作成段階は、発注端末６より、発注入力毎に入力されるかあるいはセンターサーバ２において自動的に付与される広告発注ＩＤ（例えば発注入力毎に付与される通し番号）に関連づけられた状態で広告コンテンツ作成動作が行われる。発注端末６より商品またはサービスのカテゴリーの選択がなされ、商品名、商品ブランド、その他広告を作成するためのデータ等からなる広告データの入力があると(Ｓ１）、これをセンターサーバ２に伝達する。これらの広告データは、発注端末６からの入力段階でカテゴリー選択欄、商品名選択欄、商品ブランド選択欄に入力され各項目と関連づけられた状態で伝達される（Ｓ２）。センターサーバ２は、発注端末６から広告データを取得すると、カテゴリー選択に基づいて広告データベース５２から、広告フォーマットを抽出する（Ｓ３）。そして、広告フォーマットの所定個所に発注端末６から伝達された商品名データ、商品ブランドデータ等の広告データをそれぞれ関連づけて（Ｓ４）広告コンテンツを完成させる（Ｓ５）。例えば、発注者がＢビールのメーカーであって、発注端末６より、カテゴリー項目「飲料」、商品名項目「ビール」、商品ブランド項目「Ｂビール」の入力および伝達がされると、センターサーバ２は、飲料用のＡパターンフォーマット「今日おすすめの飲み物はＸ１。Ｘ１を買うならＸ２。夏に飲むＸ１はＸ２。」を抽出し、Ｘ１に商品名「ビール」、Ｘ２に、商品ブランド「Ｂビール」を関連づけて「今日おすすめの飲み物はビール。ビールを買うならＢビール。夏に飲むビールはＢビール。」という内容の広告コンテンツを広告発注ＩＤに関連づけた状態で完成させる。
【００２６】
（広告・ユーザマッチング段階）
次に、図９のフローチャートに基づき広告・ユーザマッチング段階を説明する。広発注端末６より、発注入力毎に入力またはセンターサーバ２において自動的に付与される広告発注ＩＤ（例えば発注入力毎に付与される通し番号）に関連づけられた状態で広告・ユーザマッチング動作が行われる。広告・ユーザマッチング手段は、発注端末６からマッチング条件が伝達されるとマッチング条件に基づいて家計簿データを分析し（Ｓ１）、マッチング条件を家計簿データと照合する（Ｓ２）。そして、マッチング条件を満たす家計簿データに対応するユーザＩＤを抽出する（Ｓ３）。例えば、発注者がＢビールのメーカーであって、これまでＡビールを購入しているユーザをＢビールの消費者に取り込もうという観点から発注をする場合を例に説明する。発注端末６よりマッチング条件として商品ブランドデータとして「Ａビール」入力および伝達がされると、センターサーバ２は、家計簿データベースに「Ａビール」の家計簿データが蓄積されているユーザＩＤ群を抽出するようになっている。図４に示す家計簿テーブルの例によれば、家計簿データの購買商品ブランドに「Ａビール」を含むユーザＩＤの検索がなされ、家計簿データに「Ａビール」を含んでいるユーザＩＤ（００１）が抽出される。また、発注端末６から入力されるマッチング条件を所定期間データ（例えば本日より前７日間以内）と、商品名データ「ビール」として、家計簿データの商品名に「ビール」を含むユーザＩＤ（００１および００２）を抽出し、胃薬の広告を内容とする広告コンテンツマッチングさせるようにしてもよく、マッチング条件とこれに関連づける広告コンテンツの内容は様々である。尚、ここでの検索のシステムには、入力されたワードと一致するワードを検索するワード検索プログラム、ワードのぶれを修正するプログラム等種々の検索プログラムが用いられて確実にユーザＩＤとのマッチングが行われるようになっている。尚、マッチング条件として入力伝達されるデータは、購買商品ブランドデータや購買商品名に限られるものではなく、所定期間あたりの総支出データ、店舗名データあるいは所定期間あたりの総支出に対する飲食費の割合（エンゲル係数）等家計簿データに含まれるマッチング条件を付加してもよい。また、広告コンテンツ配信希望者の性別、年代、居住地等の属性データに含まれるマッチング条件を付加してもよい。このようにマッチング条件が増えるとこれに反比例して広告コンテンツが配信されるユーザ端末３が絞りこまれるようになっている。例えば、図５に示す広告・ユーザマッチングテーブルの例によれば、Ａビール購入者という条件１に、世代Ａ、女性、Ａ地域在住というさらなる条件が付加されることにより配信対象のユーザが限定されていく。
【００２７】
（広告コンテンツ配信段階）
また、図９のフローチャートに基づいて、広告・ユーザマッチング段階に引き続いて構築される広告コンテンツ配信手段について説明する。広告コンテンツ配信手段は、広告ユーザマッチング段階で抽出されたユーザＩＤからユーザ端末３を特定する（Ｓ４）。また、広告データベースに蓄積されている広告発注ＩＤと共通の広告発注ＩＤを有するマッチング条件により抽出されたユーザＩＤとを関連づけることによりユーザ端末と広告コンテンツを関連づけて広告コンテンツを配信するようになっている（Ｓ５）。また広告コンテンツの配信と並行してあるいは、広告コンテンツの配信に替えてユーザＩＤに対応する専用ウェブサイト上に広告コンテンツを表示するようにしてもよい。尚、ユーザＩＤと関連づけて配信またはウェブサイト上に表示する広告コンテンツは、広告作成段階で作成された広告コンテンツに限られず、広告作成段階を経ずに完成品の広告コンテンツとして広告発注ＩＤが付与された状態で広告データベースに蓄積されている広告コンテンツであってもよい。
【００２８】
（購買分析段階）
次に、上記システム１に付加して広告コンテンツの配信とユーザの購買行動との相関関係を分析する購買分析段階を構築する場合について説明する。履歴蓄積手段は、ユーザ・広告マッチング段階でユーザＩＤと広告発注ＩＤがマッチングされる毎に、あるいは、ユーザ端末３に対して広告コンテンツが配信される毎に図６に示すようなマッチング履歴データを履歴データベースに蓄積する。購買分析手段は、履歴データベースと家計簿データベースにアクセスし、履歴データベースに蓄積された広告発注ＩＤに関連づけられている広告コンテンツに含まれる商品ブランドデータと、家計簿データの購買商品ブランドデータを照合するようになっている。すなわち、照合手段は、対象となる広告コンテンツのマッチング履歴データが蓄積された時を基準とし、この時以降に家計簿データベースに蓄積された家計簿データを対象として該家計簿データに該購買商品ブランドデータが含まれているか否かを照合する。また、履歴データと家計簿データの購買商品ブランドデータが一致したユーザＩＤの数を算出する演算を行う。さらに、該広告メディアコンテンツが配信されたユーザＩＤの数に対して該家計簿データの購買商品ブランドデータが一致したユーザＩＤの数の割合を算出して広告コンテンツの配信に対する購入割合を算出し、ある広告を視聴した人のうち（視聴した可能性がある人のうち）どれだけの人が広告内容の商品を買ったか（あるいはサービスを受けたか）を示すマーケティング結果を算出するようになっている。尚、ここでの照合のシステムには、広告コンテンツに含まれる商品ブランドのワードと一致する購買商品ブランドのワードを検索するワード検索プログラム、ワードのぶれを修正するプログラム等種々の検索プログラムが用いられて確実に履歴データと家計簿データのマッチングが行われるようになっている。このマーケティング結果は、広告発注ＩＤ毎に関連づけて一覧化し、ユーザ端末３や発注端末６から閲覧可能としてもよい。例えば、図４に示す家計簿テーブルにおいて、「ビールＡ」購入者に「ビールＢ」の広告コンテンツを２購買目の時点でマッチングした場合、購買分析手段は、２購買目以降で「ビールＢ」のマッチング履歴データがあるユーザＩＤのうち、対応する家計簿データに「ビールＢ」があるユーザＩＤ（図４の家計簿テーブルの場合はユーザＩＤ００１が該当）の数を計測するようになっている。尚、分析の内容や方法はこれらに限られるものではなく必要に応じて種々の分析プログラムが組まれる。一例として、家計簿データベースと分析して、ある広告コンテンツを配信したユーザＩＤ群は、次にどのような商品ブランドを購入することが多いかという動向を算出する分析プログラムが挙げられる。
【００２９】
さらに購買分析手段には、必要に応じて、マッチング条件変動手段を構築してもよい。マッチング条件変動手段は、上述の購買分析手段により算出されたマーケティング結果に基づいて発注端末６から伝達されるマッチング条件に加えて、または発注端末６から伝達されるマッチング条件に替えて、マッチング条件を追加したり、自動的に入力するための手段である。このような手段を設けることによりマッチング条件と配信する広告コンテンツの不適合を解消したり、さらにユーザの購買を促すことのできる広告コンテンツのマッチングをすることができるようになっている。
【００３０】
システム１に構築することのできる付随的な手段を説明する。図１０に示すように、システム１に構築することのできるシステムの一つは、ユーザＩＤに専用の家計簿サイトの管理運営システムである。この家計簿サイトは、ユーザ端末３からユーザＩＤおよびパスワードによりアクセス可能な専用ウェブサイトであり、自己の家計簿データが閲覧可能となっている。この家計簿データ表示手段は、ユーザ端末３よりＩＤおよびパスワードが入力されるとこれがセンターサーバ２に伝達され、ユーザＩＤに対応する家計簿データが一覧化され表示されるようになっているものである。また、このウェブサイトにユーザ・広告マッチング段階で関連づけられた広告コンテンツを表示させたり、家計簿データベースにおける分析結果から家計簿データに蓄積の多い購買商品ブランドを一覧化して売れ筋商品情報を表示させるようにしてもよい。該ユーザＩＤが入力した家計簿データに含まれる購買商品ブランドと同一の購買商品ブランドの家計簿データを有するユーザが他に購入している購買商品ブランドを表示して、他の消費者の購買商品ブランドをおすすめするようにしてもよい。また、家計簿データ入力段階で所定期間の予算データを入力伝達させるようにし、ユーザＩＤに対応する家計簿データが所定期間の予算額を超えたときに節約アドバイスを表示させる等アドバイス表示システムを構築してもよい。さらには、専用ウェブサイトにユーザ端末３から、商品を購入させたり、商品に対する使用コメントを書き込ませたりするシステムも構築することができる。
【００３１】
このように本発明のシステム１は、発注端末６の発注に応じて広告ユーザマッチングと、広告コンテンツの作成を並行して行い、ユーザと広告コンテンツを関連づけて、該ユーザのユーザ端末に該広告コンテンツを配信するとともに、該広告コンテンツを配信されたユーザが配信以降に広告コンテンツの宣伝する商品を購入したか否かの購買分析をする広告配信支援システムである。
【００３２】
したがって、ユーザは、家計簿データを入力することで、自己の家計状況や趣味趣向に合致する内容の広告コンテンツを視聴できる。また、広告主は、広告宣伝対象商品に合致する広告コンテンツを提供することができるだけではなく、例えば、ある広告主が、他社の商品ブランドを購入しているユーザ群に対して、同じ商品カテゴリーあるいは同じ商品名の自社商品ブランドの広告を配信して他社の顧客の取り込みを図ることができる。また、広告主は自社が配信した広告コンテンツに対する広告効果を認識することができる。
【符号の説明】
【００３３】
１  広告配信支援システム
２  センターサーバ
３  ユーザ端末
４  通信手段
５  データベース
５１  ユーザデータベース
５２  広告データベース
６    発注端末
【図１】
2012150615.tif 000003
【図２】
2012150615.tif 000004
【図３】
2012150615.tif 000005
【図４】
2012150615.tif 000006
【図５】
2012150615.tif 000007
【図６】
2012150615.tif 000008
【図７】
2012150615.tif 000009
【図８】
2012150615.tif 000010
【図９】
2012150615.tif 000011
【図１０】
2012150615.tif 000012